(57)【要約】【課題】運転者の運転意図に反した挙動を示すことのない車両用運転操作補助装置を提供する。【解決手段】車両用運転操作補助装置は、自車両と前方障害物との車間時間および余裕時間に基づいて自車両のリスクポテンシャルを算出する。リスクポテンシャルが大きいほど、自車両に発生する駆動力を低下するとともに、アクセルペダルを操作するときに発生する操作反力を増大させる。アクセルペダル操作パターンから運転者の運転意図を検出し、加速意図が小さいほど、制駆動力制御における駆動力の低下量が大きくなるように補正する。【選択図】図１
2008179355.tif 000002
【特許請求の範囲】
【請求項１】
自車両前方に存在する障害物を検出する障害物検出手段と、
前記障害物検出手段の検出結果に基づいて、前記障害物に対する前記自車両のリスクポテンシャルを算出するリスクポテンシャル算出手段と、
前記リスクポテンシャル算出手段によって算出される前記リスクポテンシャルに応じて運転操作機器に発生させる操作反力を制御する操作反力制御手段と、
運転者の運転意図を検出する運転意図検出手段と、
前記自車両に発生する制駆動力を制御する制駆動力制御手段とを備え、
前記制駆動力制御手段は、前記運転操作機器の操作量に応じて前記制駆動力を決定する出力項と、前記自車両と前記障害物との相対位置関係に応じて決定される補正項とを備える演算式を用いて目標とする制駆動力を算出し、前記出力項と前記補正項との比率を、前記運転意図検出手段で検出される前記運転意図に応じて変化させることを特徴とする車両用運転操作補助装置。
【請求項２】
請求項１に記載の車両用運転操作補助装置において、
前記制駆動力制御手段は、前記補正項を、前記リスクポテンシャル算出手段で算出される前記リスクポテンシャルに基づいて決定することを特徴とする車両用運転操作補助装置。
【請求項３】
請求項１または請求項２に記載の車両用運転操作補助装置において、
前記運転意図検出手段は、前記運転意図として、前記運転者の加速意図を検出し、
前記制駆動力制御手段は、前記運転者が加速しようとする意図が小さいほど、前記出力項に対する前記補正項の比率を大きくすることを特徴とする車両用運転操作補助装置。
【請求項４】
請求項３に記載の車両用運転操作補助装置において、
前記運転意図検出手段は、前記運転者によるアクセルペダルの操作パターンに基づいて前記加速意図を検出することを特徴とする車両用運転操作補助装置。
【請求項５】
請求項４に記載の車両用運転操作補助装置において、
前記運転意図検出手段は、前記アクセルペダルの操作パターンを、踏増し、保持、戻し、および操作なしの４段階に分類し、
前記制駆動力制御手段は、踏増し、保持、戻し、および操作なしの順で、前記出力項に対する前記補正項の比率を大きくすることを特徴とする車両用運転操作補助装置。
【請求項６】
請求項１から請求項５のいずれか１項に記載の車両用運転操作補助装置において、
前記制駆動力制御手段は、前記運転意図に加えて、前記リスクポテンシャルに基づいて前記出力項と前記補正項との比率を変化させることを特徴とする車両用運転操作補助装置。
【請求項７】
請求項６に記載の車両用運転操作補助装置において、
前記制駆動力制御手段は、アクセルペダルが戻し方向に操作されている場合に、前記リスクポテンシャルが大きくなるに従って前記出力項に対する前記補正項の比率を大きくすることを特徴とする車両用運転操作補助装置。
【請求項８】
自車両前方に存在する障害物を検出する障害物検出手段と、
前記障害物検出手段の検出結果に基づいて、前記障害物に対する前記自車両のリスクポテンシャルを算出するリスクポテンシャル算出手段と、
前記リスクポテンシャル算出手段によって算出される前記リスクポテンシャルに応じて運転操作機器に発生させる操作反力を制御する操作反力制御手段と、
運転者の加速意図を検出する運転意図検出手段と、
前記リスクポテンシャルおよびアクセルペダル操作量に従って制駆動力を算出するための複数の演算式を備え、前記自車両に発生する制駆動力を制御する制駆動力制御手段とを備え、
前記複数の演算式は、それぞれ、前記アクセルペダル操作量に対する駆動力下限値または制動力上限値が異なり、前記制駆動力制御手段は、前記運転者が加速しようとする意図が小さいほど、前記駆動力下限値が小さいまたは前記制動力上限値が大きい演算式に切り替えることを特徴とする車両用運転操作補助装置。
【請求項９】
請求項８に記載の車両用運転操作補助装置において、
前記運転意図検出手段は、アクセルペダルの操作パターンに基づいて前記加速意図を検出するために、前記アクセルペダルの操作パターンを、踏増し、保持、戻し、および操作なしの４段階に分類し、
前記制駆動力制御手段は、踏増し、保持、戻し、および操作なしの順に、前記駆動力下限値が小さいまたは前記制動力上限値が大きい演算式に切り替えることを特徴とする車両用運転操作補助装置。
【請求項１０】
請求項８または請求項９に記載の車両用運転操作補助装置において、
前記制駆動力制御手段は、前記複数の演算式の前記駆動力下限値の一つとして、走行抵抗に相当する値を設定することを特徴とする車両用運転操作補助装置。
【請求項１１】
請求項８から請求項１０のいずれか１項に記載の車両用運転操作補助装置において、
前記制駆動力制御手段は、前記リスクポテンシャルに基づいて前記複数の演算式の前記駆動力下限値または前記制動力上限値を変化させることを特徴とする車両用運転操作補助装置。
【請求項１２】
自車両前方に存在する障害物を検出し、
前記障害物の検出結果に基づいて、前記障害物に対する前記自車両のリスクポテンシャルを算出し、
前記リスクポテンシャルに応じて運転操作機器に発生させる操作反力を制御し、
運転者の運転意図を検出し、
前記運転操作機器の操作量に応じて前記制駆動力を決定する出力項と、前記自車両と前記障害物との相対位置関係に応じて決定される補正項とを備える演算式を用いて目標とする制駆動力を算出し、前記出力項と前記補正項との比率を、前記運転意図に応じて変化させ、前記自車両に発生する制駆動力を制御することを特徴とする車両用運転操作補助方法。
【請求項１３】
自車両前方に存在する障害物を検出し、
前記障害物の検出結果に基づいて、前記障害物に対する前記自車両のリスクポテンシャルを算出し、
前記リスクポテンシャルに応じて運転操作機器に発生させる操作反力を制御し、
運転者の加速意図を検出し、
前記リスクポテンシャルおよびアクセルペダル操作量に従って制駆動力を算出するための複数の演算式を備え、前記複数の演算式は、それぞれ、前記アクセルペダル操作量に対する駆動力下限値または制動力上限値が異なり、前記運転者が加速しようとする意図が小さいほど、前記駆動力下限値が小さいまたは前記制動力上限値が大きい演算式に切り替え、前記自車両に発生する制駆動力を制御することを特徴とする車両用運転操作補助方法。
【請求項１４】
自車両前方に存在する障害物を検出する障害物検出手段と、
前記障害物検出手段の検出結果に基づいて、前記障害物に対する前記自車両のリスクポテンシャルを算出するリスクポテンシャル算出手段と、
前記リスクポテンシャル算出手段によって算出される前記リスクポテンシャルに応じて運転操作機器に発生させる操作反力を制御する操作反力制御手段と、
運転者の運転意図を検出する運転意図検出手段と、
前記自車両に発生する制駆動力を制御する制駆動力制御手段とを有し、
前記制駆動力制御手段は、前記運転操作機器の操作量に応じて前記制駆動力を決定する出力項と、前記自車両と前記障害物との相対位置関係に応じて決定される補正項とを備える演算式を用いて目標とする制駆動力を算出し、前記出力項と前記補正項との比率を、前記運転意図検出手段で検出される前記運転意図に応じて変化させる車両用運転操作補助装置を備えることを特徴とする車両。
【請求項１５】
自車両前方に存在する障害物を検出する障害物検出手段と、
前記障害物検出手段の検出結果に基づいて、前記障害物に対する前記自車両のリスクポテンシャルを算出するリスクポテンシャル算出手段と、
前記リスクポテンシャル算出手段によって算出される前記リスクポテンシャルに応じて運転操作機器に発生させる操作反力を制御する操作反力制御手段と、
運転者の加速意図を検出する運転意図検出手段と、
前記リスクポテンシャルおよびアクセルペダル操作量に従って制駆動力を算出するための複数の演算式を備え、前記自車両に発生する制駆動力を制御する制駆動力制御手段とを備え、
前記複数の演算式は、それぞれ、前記アクセルペダル操作量に対する駆動力下限値または制動力上限値が異なり、前記制駆動力制御手段は、前記運転者が加速しようとする意図が小さいほど、前記駆動力下限値が小さいまたは前記制動力上限値が大きい演算式に切り替える車両用運転操作補助装置を備えることを特徴とする車両。
【発明の詳細な説明】
【技術分野】
【０００１】
本発明は、運転者の操作を補助する車両用運転操作補助装置に関する。
【背景技術】
【０００２】
従来の車両用運転操作補助装置として、自車両が前方車両に接近する頻度を低下させるように情報伝達および制駆動力制御を行うものが知られている（特許文献１参照）。この装置は、自車両と前方車両との接近状態に基づいて自車両に発生する制駆動力およびアクセルペダルに発生する操作反力を制御することにより、運転者の運転操作を適切な方向に促して接近頻度を低下させるようにしている。
【０００３】
【特許文献１】特開２００３−２６７２０１号公報
【発明の開示】
【発明が解決しようとする課題】
【０００４】
上述した装置は、制駆動力およびアクセルペダル反力を介して運転者に接近状態を知覚させることが可能である。しかし、接近状態に応じて制駆動力制御を行う場合には、運転者が加速しようとアクセルペダルを踏み込んだ場合でも、意図に応じた加速度が得られない等、違和感を生じる可能性がある。
【課題を解決するための手段】
【０００５】
本発明による車両用運転操作補助装置は、自車両前方に存在する障害物を検出する障害物検出手段と、障害物検出手段の検出結果に基づいて、障害物に対する自車両のリスクポテンシャルを算出するリスクポテンシャル算出手段と、リスクポテンシャル算出手段によって算出されるリスクポテンシャルに応じて運転操作機器に発生させる操作反力を制御する操作反力制御手段と、運転者の運転意図を検出する運転意図検出手段と、自車両に発生する制駆動力を制御する制駆動力制御手段とを備え、制駆動力制御手段は、運転操作機器の操作量に応じて制駆動力を決定する出力項と、自車両と障害物との相対位置関係に応じて決定される補正項とを備える演算式を用いて目標とする制駆動力を算出し、出力項と補正項との比率を、運転意図検出手段で検出される運転意図に応じて変化させる。
本発明による車両用運転操作補助方法は、自車両前方に存在する障害物を検出し、障害物の検出結果に基づいて、障害物に対する自車両のリスクポテンシャルを算出し、リスクポテンシャルに応じて運転操作機器に発生させる操作反力を制御し、運転者の運転意図を検出し、運転操作機器の操作量に応じて制駆動力を決定する出力項と、自車両と障害物との相対位置関係に応じて決定される補正項とを備える演算式を用いて目標とする制駆動力を算出し、出力項と補正項との比率を、運転意図に応じて変化させ、自車両に発生する制駆動力を制御する。
本発明による車両用運転操作補助方法は、自車両前方に存在する障害物を検出し、障害物の検出結果に基づいて、障害物に対する自車両のリスクポテンシャルを算出し、リスクポテンシャルに応じて運転操作機器に発生させる操作反力を制御し、運転者の加速意図を検出し、リスクポテンシャルおよびアクセルペダル操作量に従って制駆動力を算出するための複数の演算式を備え、複数の演算式は、それぞれ、アクセルペダル操作量に対する駆動力下限値または制動力上限値が異なり、運転者が加速しようとする意図が小さいほど、駆動力下限値が小さいまたは制動力上限値が大きい演算式に切り替え、自車両に発生する制駆動力を制御する。
本発明による車両は、自車両前方に存在する障害物を検出する障害物検出手段と、障害物検出手段の検出結果に基づいて、障害物に対する自車両のリスクポテンシャルを算出するリスクポテンシャル算出手段と、リスクポテンシャル算出手段によって算出されるリスクポテンシャルに応じて運転操作機器に発生させる操作反力を制御する操作反力制御手段と、運転者の運転意図を検出する運転意図検出手段と、自車両に発生する制駆動力を制御する制駆動力制御手段とを有し、制駆動力制御手段は、運転操作機器の操作量に応じて制駆動力を決定する出力項と、自車両と障害物との相対位置関係に応じて決定される補正項とを備える演算式を用いて目標とする制駆動力を算出し、出力項と補正項との比率を、運転意図検出手段で検出される運転意図に応じて変化させる車両用運転操作補助装置を備える。
本発明による車両は、自車両前方に存在する障害物を検出する障害物検出手段と、障害物検出手段の検出結果に基づいて、障害物に対する自車両のリスクポテンシャルを算出するリスクポテンシャル算出手段と、リスクポテンシャル算出手段によって算出されるリスクポテンシャルに応じて運転操作機器に発生させる操作反力を制御する操作反力制御手段と、運転者の加速意図を検出する運転意図検出手段と、リスクポテンシャルおよびアクセルペダル操作量に従って制駆動力を算出するための複数の演算式を備え、自車両に発生する制駆動力を制御する制駆動力制御手段とを備え、複数の演算式は、それぞれ、アクセルペダル操作量に対する駆動力下限値または制動力上限値が異なり、制駆動力制御手段は、運転者が加速しようとする意図が小さいほど、駆動力下限値が小さいまたは制動力上限値が大きい演算式に切り替える車両用運転操作補助装置を備える。
【発明の効果】
【０００６】
リスクポテンシャルを運転操作機器から発生する操作反力として運転者に伝達するとともに、運転者の運転意図を妨げないようにしながら自車両と障害物との相対位置関係に応じた制駆動力制御を行うことができる。
【発明を実施するための最良の形態】
【０００７】
《第１の実施の形態》
本発明の第１の実施の形態による車両用運転操作補助装置について、図面を用いて説明する。図１は、本発明の第１の実施の形態による車両用運転操作補助装置１の構成を示すシステム図である。
【０００８】
まず、車両用運転操作補助装置１の構成を説明する。車両用運転操作補助装置１は、レーダ装置１０，車速センサ２０，舵角センサ３０，障害物検知装置４０，コントローラ５０，駆動力制御装置６０，アクセルペダル反力発生装置７０，および制動力制御装置９０等を備えている。
【０００９】
レーダ装置１０は、例えば車両の前方グリル部もしくはバンパ部等に取り付けられたレーザレーダであり、水平方向に赤外線レーザ光を照射して車両前方領域を走査し、自車両前方の障害物を検出する。図２に、レーダ装置１０による障害物検出の原理を説明する図を示す。図２に示すように、レーダ装置１０はレーザ光を出力する発光部１０ａと、自車両の前方にある反射物（通常、前方車の後端）で反射された反射光を検出する受光部１０ｂとを備えている。発光部１０ａはスキャニング機構が組み合わされており、図２に矢印で示すように左右方向に振れるように構成されている。発光部１０ａは角度を変化させながら所定角度範囲内で順次発光する。レーダ装置１０は、発光部１０ａによるレーザ光の出射から受光部１０ｂにおける反射波の受光までの時間差に基づいて自車両から障害物までの距離を計測する。
【００１０】
レーダ装置１０は、スキャニング機構により自車両の前方領域をスキャニングしながら、各スキャニング位置またはスキャニング角度について反射光を受光した場合に障害物までの距離を算出する。さらに、レーダ装置１０は、障害物を検出したときのスキャニング角とその障害物までの距離とに基づいて、自車両に対する障害物の左右方向の位置も算出する。すなわち、レーダ装置１０は、障害物の有無とともに自車両に対する障害物の相対的な位置を検出する。
【００１１】
図３に、レーダ装置１０による障害物の検出結果の一例を示す。各スキャニング角で自車両に対して障害物の相対的な位置を特定することにより、図３に示すようにスキャニング範囲内で検出できる複数の物体についての平面的な存在状態図を得ることができる。
車速センサ２０は、車輪の回転数や変速機の出力側の回転数を計測することにより自車両の車速を検出する。
【００１２】
障害物検知装置４０は、レーダ装置１０および車速センサ２０の検出結果に基づいて前方障害物に関する情報を取得する。具体的には、障害物検知装置４０は、レーダ装置１０からスキャニング周期毎またはスキャニング角ごとに出力される検出結果に基づいて、検出した物体の動きを判別するとともに、物体間の近接状態や動きの類似性等に基づいて、検出した物体が同一物体であるか異なる物体であるかを判別する。
【００１３】
そして、障害物検知装置４０は、レーダ装置１０と車速センサ２０からの信号に基づいて、自車両周囲の障害物情報、すなわち自車両と前方障害物との車間距離と相対速度、自車両に対する前方障害物の左右方向距離、および前方障害物の幅等を認識する。なお、障害物検知装置４０は、複数の前方障害物を検知した場合は各障害物についての情報を取得する。障害物検知装置４０は、取得した障害物情報をコントローラ５０へ出力する。
【００１４】
舵角センサ３０は、ステアリングコラムもしくはステアリングホイール（不図示）付近に取り付けられた角度センサ等であり、ステアリングシャフトの回転を操舵角として検出し、コントローラ５０へ出力する。
【００１５】
アクセルペダル６１には、アクセルペダル６１の踏み込み量（操作量）を検出するアクセルペダルストロークセンサ６２が設けられている。アクセルペダルストロークセンサ６２によって検出されたアクセルペダル操作量はコントローラ５０に出力される。ブレーキペダル９１には、その踏み込み量（操作量）を検出するブレーキペダルストロークセンサ９２が設けられている。ブレーキペダルストロークセンサ９２によって検出されたブレーキペダル操作量もコントローラ５０に出力される。
【００１６】
コントローラ５０は、ＣＰＵと、ＲＯＭおよびＲＡＭ等のＣＰＵ周辺部品とから構成され、車両用運転操作補助装置１全体の制御を行う。コントローラ５０は、車速センサ２０から入力される自車速、および障害物検知装置４０から入力される障害物情報から、自車両の走行状況を認識する。コントローラ５０は、走行状況に基づいて前方障害物に対する自車両の接近度合を表す物理量であるリスクポテンシャルを算出する。
【００１７】
コントローラ５０は、障害物に対するリスクポテンシャルに基づいて、自車両に発生する制駆動力を制御するとともに、運転者が運転操作のために操作する運転操作機器に発生する操作反力を制御する。ここで、運転操作機器は、例えば運転者が自車両を加速したり減速したりするときに操作するアクセルペダル６１である。
【００１８】
駆動力制御装置６０は、エンジンコントローラを有し、コントローラ５０からの指令に応じてエンジントルクを制御する。制動力制御装置９０は、ブレーキ液圧コントローラを有し、コントローラ５０からの指令に応じてブレーキ液圧を制御する。
【００１９】
ここで、駆動力制御および制動力制御の概要を説明する。図４に、駆動力制御の概要を示すブロック図を示し、図５に、アクセルペダル操作量ＳＡとドライバ要求駆動力Ｆｄａとの関係を定めた特性マップを示す。コントローラ５０はドライバ要求駆動力算出部５０ａにおいて、図５に示すようなマップを用いて、アクセルペダル６１が踏み込まれたときの操作量（アクセルペダル操作量）ＳＡに応じてドライバが要求する駆動力（ドライバ要求駆動力）Ｆｄａを算出する。そして、算出されたドライバ要求駆動力Ｆｄａに、後述する補正量を加えて目標駆動力を算出する。
【００２０】
コントローラ５０は、算出した目標駆動力を駆動力制御装置６０に出力する。駆動力制御装置６０のエンジンコントローラ６０ａは、コントローラ５０から入力される目標駆動力に従ってエンジンへの制御指令値を算出し、エンジントルクを制御する。
【００２１】
図６に、制動力制御の概要を示すブロック図を示し、図７に、ブレーキペダル操作量ＳＢとドライバ要求制動力Ｆｄｂとの関係を定めた特性マップを示す。コントローラ５０のドライバ要求制動力算出部５０ｂは、図７に示すようなマップを用いて、ブレーキペダル９１の踏み込み量（ブレーキペダル操作量）ＳＢに応じてドライバが要求する制動力（ドライバ要求制動力）Ｆｄｂを算出する。そして、算出されたドライバ要求制動力Ｆｄｂに、後述する補正量を加えて目標制動力を算出する。
【００２２】
コントローラ５０は、算出した目標制動力を制動力制御装置９０に出力する。制動力制御装置９０のブレーキ液圧コントローラ９０ａは、目標制動力に従ってブレーキ液圧指令値を算出する。ブレーキ液圧コントローラ９０ａからの指令に応じて各車輪に設けられたブレーキ装置９５が作動する。
【００２３】
アクセルペダル反力発生装置７０は、コントローラ５０から出力される指令に応じて、アクセルペダル６１のリンク機構に組み込まれたサーボモータ（不図示）で発生させるトルクを制御する。サーボモータは、アクセルペダル反力発生装置７０からの指令値に応じて発生させる反力を制御するアクチュエータであり、運転者がアクセルペダル６１を操作する際に発生する操作反力（踏力）を任意に制御することができる。アクセルペダル反力発生装置７０による反力制御を行わない場合は、例えばアクセルペダル操作量ＳＡに応じた引っ張りバネ（不図示）のバネ力が反力として作用する。
【００２４】
以下に、本発明の第１の実施の形態による車両用運転操作補助装置１の動作を説明する。まず、動作の概要を説明する。
車両用運転操作補助装置１のコントローラ５０は、障害物検知装置４０で検出した障害物情報に基づいて各障害物に対する自車両のリスクポテンシャルを算出する。リスクポテンシャル（Risk Potential）は、「潜在的なリスク／危急」を意味し、ここでは特に、自車両と自車両周囲に存在する障害物とが接近していくことにより増大するリスクの大きさを表す。したがって、リスクポテンシャルは、自車両と障害物とがどれほど近づいているか、すなわち自車両と障害物とが近づいている程度（接近度合）を表す物理量であるといえる。
【００２５】
コントローラ５０は、算出したリスクポテンシャルを、自車両に発生する制駆動力、および運転者が自車両を運転する際に操作する運転操作機器、具体的にはアクセルペダル６１から発生する操作反力として運転者に伝達する。
【００２６】
リスクポテンシャルに応じた制駆動力制御を行う場合、運転者が加速しようと思ってアクセルペダル６１を踏み込んでいるのに、システムによる減速度により意図する加速度が得られない、もしくは減速してしまう可能性がある。また、運転者がアクセルペダル６１を戻し方向に操作したときに、予測以上の減速度が発生する可能性がある。このように、運転者の意図に反する加速や減速が行われると、運転者に違和感を与えてしまう。
【００２７】
そこで、第１の実施の形態では、システムが運転者の意図に反した挙動を示すことのないように、運転者の運転意図を検出し、検出した運転意図に基づいて目標制駆動力を算出する際の演算式を変更する。具体的には、運転意図に応じて、演算式中の補正係数を変化させる。ここで、運転意図は、運転者が運転操作を行う場合に自車両をどのように走行させようかという意図であり、具体的には加速意図、先行車への追従走行意図、および減速意図を含む。追従走行意図は、先行車との車間距離や相対速度をほぼ一定に保って先行車に追従していこうとする意図を表す。
【００２８】
第１の実施の形態による車両用運転操作補助装置１の動作を、図８を用いて詳細に説明する。図８は、第１の実施の形態のコントローラ５０における運転操作補助制御処理の処理手順のフローチャートである。本処理内容は、一定間隔、例えば５０msec毎に連続的に行われる。
【００２９】
まず、ステップＳ１１０で、車速センサ２０によって検出される自車速Ｖｈと、舵角センサ３０によって検出される自車両の操舵角δのデータを読み込む。ステップＳ１２０では、アクセルペダルストロークセンサ６２によって検出されるアクセルペダル操作量ＳＡを読み込む。ステップＳ１３０では、運転者によるアクセルペダル６１の操作パターンを判定する。アクセルペダル操作パターンを判定することにより、運転者の運転意図を検出することができる。ここでの処理を、図９のフローチャートを用いて説明する。
【００３０】
まず、ステップＳ１３０１で、アクセルペダル６１が踏み込まれているか否かを判定する。具体的には、ステップＳ１２０で読み込んだアクセルペダル操作量ＳＡが所定値TH_0よりも大きい場合に、アクセルペダル６１の踏み込み操作ありと判定する。所定値TH_0は、０％に誤差相当の値を加えた値として予め適切に設定しておく。踏み込み操作なしと判定されるとステップＳ１３０２へ進み、操作パターンフラグＳＴをアクセルペダル６１が解放されていることを表すＳＴ４に設定する。さらに、後述する処理で目標制駆動力を算出する演算式に用いる補正係数αをα４に設定する。
【００３１】
ステップＳ１３０１でアクセルペダル６１の踏み込み操作ありと判定されると、ステップＳ１３０３へ進み、アクセルペダル６１が踏増し操作されているか否かを判定する。具体的には、アクセルペダル６１の操作速度が所定値dTH_1よりも大きい場合に、アクセルペダル６１が踏増しされていると判定する。アクセルペダル操作速度は、例えばアクセルペダル操作量ＳＡを時間微分することにより算出でき、踏み込み方向に操作されている場合に正の値で表される。所定値dTH_1は、誤差分を考慮してアクセルペダル６１が踏増しされていると判断できる正の値として予め適切に設定しておく。
【００３２】
アクセルペダル６１が踏増しされていると判定されると、ステップＳ１３０４へ進み、操作パターンフラグＳＴをアクセルペダル６１が踏増しされていることを表すＳＴ１に設定する。さらに、補正係数αをα１に設定する。
【００３３】
ステップＳ１３０３でアクセルペダル６１が踏み増しされていないと判定されると、ステップＳ１３０５へ進み、アクセルペダル６１が戻し方向に操作されているか否かを判定する。具体的には、アクセルペダル操作速度が所定値−dTH_1よりも小さい場合、すなわち所定値−dTH_1よりも速い速度で戻し操作されている場合に、アクセルペダル６１が戻し方向に操作されていると判定する。アクセルペダル６１が戻し方向に操作されていると判定されると、ステップＳ１３０６へ進み、操作パターンフラグＳＴをアクセルペダル６１が戻し操作されていることを表すＳＴ３に設定する。さらに、補正係数αをα３に設定する。
【００３４】
ステップＳ１３０５でアクセルペダル６１の戻し操作なしと判定されると、ステップＳ１３０７へ進む。ステップＳ１３０７では、アクセルペダル６１を保持しようとしていると判断し、操作パターンフラグＳＴをアクセルペダル６１がほぼ一定に保持されていることを表すＳＴ２に設定する。さらに、補正係数αをα２に設定する。
【００３５】
補正係数αは、１≧α４≧α３≧α２≧α１≧０の関係を満たすように、予め適切に設定しておく。例えば、α１＝０．２、α２＝０．６、α３＝０．８、α４＝１に設定する。
【００３６】
このようにステップＳ１３０でアクセルペダル操作パターンを判定した後、ステップＳ１４０へ進む。ステップＳ１４０では、レーダ装置１０および車速センサ２０の検出結果に従って障害物検知装置４０で算出した複数の前方障害物に関する情報を読み込む。前方障害物に関する情報は、例えば各障害物までの前後方向の距離（車間距離）Ｄと、自車両に対する障害物の左右方向位置ｘおよび前後方向位置ｙである。
【００３７】
ステップＳ１５０では、ステップＳ１１０で読み込んだ自車速Ｖｈおよび操舵角δに基づいて、自車両の進路を推定する。以下に、予測進路の推定方法を図１０および図１１を用いて説明する。予測進路を推定するために、図１０に示すように自車両が矢印方向に進行している場合の旋回半径Ｒを算出する。まず、自車両の旋回曲率ρ（１／ｍ）を算出する。旋回曲率ρは、自車速Ｖｈおよび操舵角δに基づいて、以下の（式１）で算出できる。
ρ＝１／｛Ｌ（１＋Ａ・Ｖｈ２）｝×δ／Ｎ     ・・・（式１）
ここで、Ｌ：自車両のホイールベース、Ａ：車両に応じて定められたスタビリティファクタ（正の定数）、Ｎ：ステアリングギア比である。
【００３８】
旋回半径Ｒは、旋回曲率ρを用いて以下の（式２）で表される。
Ｒ＝１／ρ       ・・・（式２）
（式２）を用いて算出した旋回半径Ｒを用いることで、図１０に示すように自車両の走行軌道を半径Ｒの円弧として予測することができる。そして、図１１に示すように、旋回半径Ｒの円弧を中心線とした幅Ｔｗの領域を、自車両が走行するであろう予測進路として設定する。幅Ｔｗは、自車両の幅に基づいて予め適切に設定しておく。
【００３９】
ステップＳ１６０では、障害物検知装置４０によって検出され、ステップＳ１５０で設定した自車両の予測進路内にあると判定した障害物のうち、自車両に最も近い物体を、前方障害物として選択する。この前方障害物は、以降の処理で自車両のリスクポテンシャルＲＰを算出する対象となる障害物である。
【００４０】
ステップＳ１７０では、ステップＳ１６０で前方障害物として選択した障害物について、自車両のリスクポテンシャルＲＰを算出する。ここでは、自車両と前方障害物との車間時間ＴＨＷおよび余裕時間ＴＴＣをリスクポテンシャルＲＰとして算出する。以降では、自車両前方を走行する先行車を前方障害物として説明する。車間時間ＴＨＷは、先行車の現在位置に自車両が到達するまでの時間を示す物理量であり、以下の（式３）から算出される。
ＴＨＷ＝Ｄ／Ｖｈ    ・・・（式３）
【００４１】
先行車に対する余裕時間ＴＴＣは、先行車に対する現在の自車両の接近度合を示す物理量であり、現在の走行状況が継続した場合、つまり自車速Ｖｈおよび相対車速Ｖｒが一定の場合に、何秒後に車間距離Ｄがゼロとなり自車両と先行車両とが接触するかを示す値である。なお、相対速度ＶｒはＶｒ＝（自車速−先行車速）であり、自車速が先行車速よりも低い場合はＶｒ＝０とする。障害物に対する余裕時間ＴＴＣは、以下の（式４）で求められる。
ＴＴＣ＝Ｄ／Ｖｒ    ・・・（式４）
【００４２】
余裕時間ＴＴＣの値が小さいほど、先行車への接触が緊迫し、先行車への接近度合が大きいことを意味している。例えば先行車への接近時には、余裕時間ＴＴＣが４秒以下となる前に、ほとんどのドライバが減速行動を開始することが知られている。車間時間ＴＨＷおよび余裕時間ＴＴＣが小さいほど自車両と先行車とが近づいていることを表す。
【００４３】
このように、車間時間ＴＨＷおよび余裕時間ＴＴＣは、自車両と前方障害物とがどれほど接近しているかを示す接近度合を表しており、前方障害物に対する自車両のリスクポテンシャルＲＰであるといえる。
【００４４】
ステップＳ１８０では、ステップＳ１７０で算出した前方障害物に対する自車両のリスクポテンシャルＲＰに基づいて、目標制駆動力およびアクセルペダル反力制御指令値を算出する際に用いる制御反発力Ｆｃを算出する。そこで、図１２（ａ）に示すように、自車両の前方に仮想的な弾性体２００を設けたと仮定し、この仮想的な弾性体が前方障害物に当たって圧縮され、自車両に対する擬似的な走行抵抗を発生するというモデルを考える。ここで、制御反発力Ｆｃは、図１２（ｂ）に示すように仮想弾性体２００が先行車に当たって圧縮された場合の反発力と定義する。
【００４５】
ここでは、車間時間ＴＨＷに関連づけた仮想弾性体、および余裕時間ＴＴＣに関連づけた仮想弾性体を自車両と前方障害物との間に設定したモデルを想定し、それぞれの仮想弾性体による反発力を、車間時間ＴＨＷに基づく反発力F_THWおよび余裕時間ＴＴＣに基づく反発力F_TTCとして算出する。制御反発力Ｆｃの算出処理を、図１３のフローチャートを用いて説明する。
【００４６】
まず、ステップＳ１８０１で、車間時間ＴＨＷをしきい値TH_THWと比較する。車間時間ＴＨＷが制御開始を判断するためのしきい値TH_THWより小さい場合（ＴＨＷ＜TH_THW）は、ステップＳ１８０２へ進む。ステップＳ１８０２では、自車速Ｖｈと車間時間ＴＨＷを用いて、以下の（式５）から車間時間ＴＨＷに基づく反発力F_THWを算出する。
F_THW＝K_THW×（TH_THW−ＴＨＷ）×Ｖｈ    ・・・（式５）
（式５）においてK_THWは車間時間ＴＨＷに関連付けた仮想弾性体のばね定数であり、TH_THW・Ｖｈは仮想弾性体の長さに相当する。
【００４７】
ステップＳ１８０１でＴＨＷ≧TH_THWと判定された場合は、ステップＳ１８０３へ進んで反発力F_THW＝０にする。
【００４８】
ステップＳ１８０４では、余裕時間ＴＴＣをしきい値TH_TTCと比較する。余裕時間ＴＴＣが制御開始を判断するためのしきい値TH_TTCより小さい場合（ＴＴＣ＜TH_TTC）は、ステップＳ１８０５へ進む。ステップＳ１８０５では、相対速度Ｖｒと余裕時間ＴＴＣを用いて、以下の（式６）から余裕時間ＴＴＣに基づく反発力F_TTCを算出する。
F_TTC＝K_TTC×（TH_TTC−ＴＴＣ）×Ｖｒ    ・・・（式６）
（式６）においてK_TTCは余裕時間ＴＴＣに関連付けた仮想弾性体のばね定数であり、TH_TTC・Ｖｒは仮想弾性体の長さに相当する。
【００４９】
ステップＳ１８０４でＴＴＣ≧TH_TTCと判定された場合は、ステップＳ１８０６へ進んで反発力F_TTC＝０にする。
【００５０】
つづくステップＳ１８０７では、ステップＳ１８０２またはＳ１８０３で算出した車間時間ＴＨＷに基づく反発力F_THWと、ステップＳ１８０５またはＳ１８０６で算出した余裕時間ＴＴＣに基づく反発力F_TTCのうち、大きい方の値を制御反発力Ｆｃとして選択する。
【００５１】
このようにステップＳ１８０で制御反発力Ｆｃを算出した後、ステップＳ１９０へ進む。ステップＳ１９０では、ステップＳ１８０で算出した制御反発力Ｆｃを用いて、制駆動力制御を行う際に出力する制御用駆動力Fa_outおよび制御用制動力Fb_outを算出する。ここでの処理を、図１４を用いて説明する。
【００５２】
まず、ステップＳ１９０１でドライバ要求駆動力Ｆｄａを推定する。ここでは、図５にに従い、アクセルペダル操作量ＳＡに基づいてドライバ要求駆動力Ｆｄａを推定する。ステップＳ１９０２では、ドライバ要求駆動力Ｆｄａ、ステップＳ１３０で設定した補正係数α、およびステップＳ１８０で算出した制御反発力Ｆｃを用いて、以下の（式７）から制駆動力制御において目標とする目標制駆動力F_FINALを算出する。
F_FINAL＝Ｆｄａ−α・Ｆｃ    ・・・（式７）
【００５３】
（式７）において、ドライバ要求駆動力Ｆｄａはアクセルペダル操作量ＳＡに応じた制駆動力の出力を決定する出力項であり、（α・Ｆｃ）は、自車両周囲の障害物との相対位置関係、具体的にはリスクポテンシャルＲＰに応じた補正量を決定する補正項である。運転者のアクセルペダル操作パターン、すなわち運転者の運転意図に応じて変化する補正係数αを用いて、出力項と補正項の比率を変更する。
【００５４】
例えば、アクセルペダル６１が戻し方向に操作されている場合（α＝α３）は、アクセルペダル６１が略一定に保持されている場合（α＝α２）、およびアクセルペダル６１が踏増しされている場合（α＝α１）に比べて補正項の比率が大きくなり、ドライバ要求駆動力Ｆｄａが小さくなるように調節される。結果として、自車両に発生する駆動力が小さく、もしくは制動力が大きくなる。
【００５５】
ステップＳ１９０３では、ステップＳ１９０２で算出した目標制駆動力F_FINALが０以上であるか否かを判定する。F_FINAL≧０の場合は、ステップＳ１９０４へ進み、駆動力制御装置６０へ出力する制御用駆動力Fa_outとしてF_FINALを設定する。ステップＳ１９０５では、制動力制御装置９０へ出力する制御用制動力Fb_outに０を設定する。すなわち、F_FINAL≧０であることから、出力項から補正項を減じた後も正の駆動力が残る。従って、制駆動力の補正を駆動力制御装置６０のみで行うことができる。この場合、車両の状態としては、運転者がアクセルペダル６１を踏んでいるにも関わらず期待した程の駆動力が得られない状態となる。補正後の駆動力が走行抵抗より大きい場合には、加速が鈍くなる挙動として運転者に感じられ、補正後の駆動力が走行抵抗より小さい場合には、減速する挙動として運転者に感じられる。
【００５６】
一方、ステップＳ１９０３が否定判定され、目標制駆動力F_FINAL＜０の場合は、駆動力制御装置６０のみでは目標とする制駆動力の補正を行えない。そこで、ステップＳ１９０６において制御用駆動力Fa_outに０を設定し、ステップＳ１９０７で制御用制動力Fb_outとして補正量の不足分（−F_FINAL）を設定する。この場合、車両の減速挙動として運転者には察知される。
【００５７】
図１５に、駆動力および制動力の補正方法を説明する図を示す。図１５の横軸はアクセルペダル操作量ＳＡおよびブレーキペダル操作量ＳＢを示しており、原点０から右へ進むほどアクセルペダル操作量ＳＡが大きく、左へ進むほどブレーキペダル操作量ＳＢが大きいことを示している。図１５の縦軸は駆動力および制動力を示し、原点０から上へ進むほど駆動力が大きく、下へ進むほど制動力が大きいことを示している。アクセルペダル操作量ＳＡに応じた要求駆動力Ｆｄａ、およびブレーキペダル操作量ＳＢに応じた要求制動力Ｆｄｂをそれぞれ一点鎖線で示す。また、制御用駆動力Fa_outおよび制御用制動力Fb_outを実線で示す。
【００５８】
目標制駆動力F_FINAL≧０の場合、すなわち出力項が補正項以上の場合は、駆動力を補正項（α・Ｆｃ）だけ減少方向に補正する。一方、目標制駆動力F_FINAL＜０の場合、すなわち出力項よりも補正項が大きい場合は、その差分だけ制動力を増大方向に補正する。これにより、全体として車両の走行抵抗を補正項分増大させるように制駆動力の特性を補正する。出力項Ｆｄａに対する補正項（α・Ｆｃ）の比率は、アクセルペダル操作パターン、すなわち運転者の運転意図に応じて変化する。運転者が加速しようとする意図が小さいほど、すなわち、加速意図、追従走行意図、および減速意図の順で、補正項の比率が大きくなるように出力項と補正項との比率を設定する。
【００５９】
このようにステップＳ１９０で制御用駆動力Fa_outおよび制御用制動力Fb_outを算出した後、ステップＳ２００へ進む。ステップＳ２００では、ステップＳ１８０で算出した制御反発力Ｆｃに基づいて、アクセルペダル６１に発生する操作反力の制御量、すなわちアクセルペダル反力制御指令値ＦＡを算出する。図１６に、制御反発力Ｆｃとアクセルペダル反力制御指令値ＦＡとの関係を示す。図１６に示すように、制御反発力Ｆｃが大きくなるほどアクセルペダル反力制御指令値ＦＡが大きくなる。
【００６０】
つづくステップＳ２１０では、ステップＳ１９０で算出した制御用駆動力Fa_out、及び制御用制動力Fb_outをそれぞれ駆動力制御装置６０、及び制動力制御装置９０に出力する。駆動力制御装置６０のエンジンコントローラ６０ａは、コントローラ５０からの指令に応じてエンジントルクを制御する。制動力制御装置９０のブレーキ液圧コントローラ９０ａは、コントローラ５０からの指令に応じてブレーキ液圧を制御する。
【００６１】
ステップＳ２２０では、ステップＳ２００で算出したアクセルペダル反力制御指令値ＦＡをアクセルペダル反力発生装置７０に出力する。アクセルペダル反力発生装置７０は、アクセルペダル操作量ＳＡに応じた通常の反力特性に、コントローラ５０から入力される指令値に応じた反力を付加するようにアクセルペダル反力を制御する。これにより、今回の処理を終了する。
【００６２】
このように以上説明した第１の実施の形態においては、以下のような作用効果を奏することができる。
（１）車両用運転操作補助装置１は、自車両前方に存在する障害物を検出し、障害物の検出結果に基づいて、障害物に対する自車両のリスクポテンシャルＲＰを算出する。そして、リスクポテンシャルＲＰに応じて運転操作機器に発生する操作反力を制御する。車両用運転操作補助装置１はさらに、運転者の運転意図を検出するとともに、自車両に発生する制駆動力を制御する。ここで、車両用運転操作補助装置１のコントローラ５０は、運転操作機器の操作量に応じて制駆動力を決定する出力項と、自車両と障害物との相対位置関係に応じて決定される補正項とを備える演算式を用いて、目標とする制駆動力を算出し、出力項と補正項との比率を運転意図に応じて変化させる。これにより、障害物に対するリスクポテンシャルＲＰを運転操作機器から発生する操作反力として運転者に伝えるとともに、自車両と障害物との相対位置関係および運転意図に基づいて制駆動力を制御することができる。制駆動力制御により、運転意図を妨げないようにしながら、運転者の運転操作を適切な方向に促すことが可能となる。
（２）コントローラ５０は、演算式の補正項を、リスクポテンシャルＲＰに基づいて決定する。具体的には、リスクポテンシャルＲＰの代表値として制御反発力Ｆｃを用いる。これにより、リスクポテンシャルＲＰに応じた制駆動力制御を行うことができる。
（３）コントローラ５０は運転意図として運転者の加速意図を検出し、運転者が加速しようとする意図が小さいほど、出力項に対する補正項の比率を大きくする。これにより、例えば減速意図や追従走行意図を持って走行している場合、とくにリスクポテンシャルＲＰが高い状況において自車両の加速を効果的に抑制することができる。
（４）コントローラ５０は、運転者によるアクセルペダル６１の操作パターンに基づいて加速意図を検出する。アクセルペダル６１は、運転者が自車両を加速させたり減速させたりする場合に操作する運転操作機器であるので、この操作パターンから加速意図を検出することにより、運転者の運転操作から直接的に意図検出を行うことができる。
（５）コントローラ５０は、アクセルペダル６１の操作パターンを、踏増し、保持、戻し、および操作なしの４段階に分類し、踏増し、保持、戻し、および操作なしの順で出力項に対する補正項の比率を大きくする。これにより、アクセルペダル６１を戻したり解放している場合に、とくにリスクポテンシャルＲＰが高い状況において良好な減速効果を得ることができる。
【００６３】
《第２の実施の形態》
以下に、本発明の第２の実施の形態による車両用運転操作補助装置について説明する。第２の実施の形態による車両用運転操作補助装置の基本構成は、図１に示した第１の実施の形態と同様である。ここでは、上述した第１の実施の形態との相違点を主に説明する。
【００６４】
第２の実施の形態では、目標制駆動力F_FINALの出力項と補正項の比率を、リスクポテンシャルＲＰに応じて変化させる。具体的には、目標制駆動力F_FINALを算出する上記（式７）に用いる補正係数αを、リスクポテンシャルＲＰに応じて変化させる。ここでは、リスクポテンシャルＲＰを代表する値として、リスクポテンシャルＲＰに基づいて算出された制御反発力Ｆｃを用いる。
【００６５】
図１７に、制御反発力Ｆｃと補正係数αとの関係を示す。図１７において、アクセルペダル６１が踏増し操作されている場合の補正係数α１を点線で、アクセルペダル６１が略一定に保持されている場合の補正係数α２を細い実線で、アクセルペダル６１が戻し操作されている場合の補正係数α３を破線で、アクセルペダル６１が解放されている場合の補正係数α４を太い実線で、それぞれ示す。
【００６６】
補正係数α１、α２、α４は、制御反発力Ｆｃの増大、すなわちリスクポテンシャルＲＰの増加に対して漸増する。なお、これらを制御反発力Ｆｃによらず一定とすることもできる。補正係数α３は、制御反発力Ｆｃの増大に対して大きく増加する。すなわち、補正係数α１、α２、α４の変化率よりも補正係数α３の変化率の方が大きくなるように設定されている。
【００６７】
このように以上説明した第２の実施の形態においては、上述した第１の実施の形態による効果に加えて以下のような作用効果を奏することができる。
（１）コントローラ５０は、運転意図に加えて、リスクポテンシャルＲＰに基づいて出力項と補正項との比率を変化させる。具体的には、図１７に示すように補正項の補正係数αをリスクポテンシャルＲＰを代表する制御反発力Ｆｃに応じて変化させる。これにより、  リスクポテンシャルＲＰが高く、自車両と前方障害物との接近度合が高い状況において効果的に加速を抑制することができる。
（２）コントローラ５０は、アクセルペダル６１が戻し方向に操作されている場合に、リスクポテンシャルＲＰが大きくなるに従って出力項に対する補正項の比率を大きくする。これにより、運転者が減速しようとしてアクセルペダル６１を戻し方向に操作するときに大きな減速効果を得ることができる。また、図１７に示すように補正係数α４を１以上の値に設定することにより、さらに大きな減速効果を得ることができる。
【００６８】
−第２の実施の形態の変形例−
ここでは、リスクポテンシャルＲＰを表す代表値として、車間時間ＴＨＷもしくは余裕時間ＴＴＣを用いて補正係数αを設定する。
【００６９】
図１８（ａ）（ｂ）に、車間時間ＴＨＷと補正係数αとの関係、および余裕時間ＴＴＣおよび補正係数αとの関係をそれぞれ示す。車間時間ＴＨＷおよび余裕時間ＴＴＣに基づいてそれぞれ算出される補正係数αから、大きい方の値を選択する。
【００７０】
図１８（ａ）に示すように、車間時間ＴＨＷの減少、すなわちリスクポテンシャルＲＰの増加に対して、補正係数α１、α２、α４は略一定とする。補正係数α３は、車間時間ＴＨＷの減少に対して漸増する。なお、補正係数α３を略一定とすることもできる。図１８（ｂ）に示すように、余裕時間ＴＴＣの減少、すなわちリスクポテンシャルＲＰの増加に対して、補正係数α１、α２、α４は漸増する。補正係数α３は、余裕時間ＴＴＣの減少に対して大きく増加する。すなわち、補正係数α１、α２、α４の変化率よりも補正係数α３の変化率の方が大きくなるように設定されている。
【００７１】
これにより、余裕時間ＴＴＣが小さく、特に自車両と前方障害物との相対速度Ｖｒ（＝自車速−前方障害物速度）が大きい状況で、運転者が減速しようとしてアクセルペダル６１を戻し方向に操作するときに大きな減速効果を得ることができる。
なお、リスクポテンシャルＲＰを表す代表値として、余裕時間ＴＴＣのみを用いることも可能である。
【００７２】
《第３の実施の形態》
以下に、第３の実施の形態による車両用運転操作補助装置について説明する。第３の実施の形態による車両用運転操作補助装置の基本構成は、図１に示した第１の実施の形態と同様である。ただし、アクセルペダル操作パターンに応じた補正係数αの設定は行わない。ここでは、上述した第１の実施の形態との相違点を主に説明する。
【００７３】
第３の実施の形態では、制駆動力制御において目標制駆動力F_FINALを算出するための演算式を複数備え、運転者の運転意図、具体的にはアクセルペダル操作パターンに応じて複数の演算式を切り替える。ここでの制御用制駆動力算出処理を、図１９のフローチャートを用いて説明する。この処理は、図８に示したフローチャートのステップＳ１９０で実行される。
【００７４】
ステップＳ１９１１でドライバ要求駆動力Ｆｄａを推定する。ステップＳ１９１２では、走行抵抗F_RESを算出する。走行抵抗F_RESは、駆動力推定値から（加速度×車重）を減算することにより算出することができる。加速度は、自車速Ｖｈを時間微分することによって得られる。また、加速度センサを設けて検出することも可能である。
【００７５】
ステップＳ１９１３では、ステップＳ１９１２で算出した走行抵抗F_RESを用いて目標制駆動力F_FINALを算出する。ここでは、アクセルペダル操作パターンごとに異なる演算式を用いて目標制駆動力F_FINALを算出する。
【００７６】
・アクセルペダル踏増し操作の場合（加速意図）
Ｆｄａ＜F_RESのとき、目標制駆動力F_FINAL＝Ｆｄａ
Ｆｄａ−Ｆｃ＜F_RESのとき、目標制駆動力F_FINAL＝F_RES
Ｆｄａ−Ｆｃ≧F_RESのとき、目標制駆動力F_FINAL＝Ｆｄａ−Ｆｃ
・アクセルペダル保持の場合（追従走行意図）
Ｆｄａ−Ｆｃ＜０のとき、目標制駆動力F_FINAL＝０
Ｆｄａ−Ｆｃ≧０のとき、目標制駆動力F_FINAL＝Ｆｄａ−Ｆｃ
・アクセルペダル戻し操作または解放している場合（減速意図）
目標制駆動力F_FINAL＝Ｆｄａ−Ｆｃ
【００７７】
つづくステップＳ１９１４では、ステップＳ１９１３でアクセルペダル操作パターン毎に設定した演算式を用いて算出した目標制駆動力F_FINALが、０以上であるか否かを判定する。F_FINAL≧０の場合は、ステップＳ１９１５へ進み、制御用駆動力Fa_outとしてF_FINALを設定する。ステップＳ１９１６では、制御用制動力Fb_outに０を設定する。一方、ステップＳ１９１４が否定判定されると、ステップＳ１９１７へ進む。ステップＳ１９１７では、制御用駆動力Fa_outに０を設定し、ステップＳ１９１８で制御用制動力Fb_outとして補正量の不足分（−F_FINAL）を設定する。
【００７８】
図２０に、アクセルペダル操作パターン毎に異なる演算式を用いて目標制駆動力F_FINALを算出した場合に表される複数の制駆動力特性を示す。図２０において、アクセルペダル操作量ＳＡに応じたドライバ要求駆動力Ｆｄａを、通常特性として太い実線で示す。アクセルペダル踏増し時は、破線で示す制駆動力特性Ａに示すように、走行抵抗F_RESで補正後の駆動力の下限値が制限される。この場合は、駆動力を減少方向に補正するのみで、制動力を増大する方向の補正は行わない。
【００７９】
アクセルペダル保持時は、点線で示す制駆動力特性Ｂに示すように、補正後の駆動力の下限値を０とする。この場合も、駆動力を減少方向に補正するのみで、制動力を増大する方向の補正は行わない。アクセルペダル戻し操作時もしくは解放時は、細い実線で示す制駆動力特性Ｄに示すように、補正後の駆動力に下限値を設けずに駆動力を減少方向に補正し、制動力を増加方向に補正する。
なお、図２０に一点鎖線で示す制駆動力特性Ｃについては、後述する。
【００８０】
このように以上説明した第３の実施の形態においては、以下のような作用効果を奏することができる。
（１）車両用運転操作補助装置１は、自車両前方に存在する障害物を検出し、障害物の検出結果に基づいて、障害物に対する自車両のリスクポテンシャルＲＰを算出する。そして、リスクポテンシャルＲＰに応じて運転操作機器に発生する操作反力を制御する。車両用運転操作補助装置１はさらに、運転者の運転意図を検出するとともに、自車両に発生する制駆動力を制御する。ここで、車両用運転操作補助装置１のコントローラ５０は、リスクポテンシャルＲＰおよびアクセルペダル操作量ＳＡに従って制駆動力を算出するための複数の演算式を備える。複数の演算式はそれぞれ、アクセルペダル操作量ＳＡに対する駆動力下限値または制動力上限値が異なるように設定されている。コントローラ５０は、運転者が加速しようとする意図が小さいほど、駆動力下限値が小さいまたは制動力上限値が大きい演算式に切り替えて制駆動力を算出する。これにより、障害物に対するリスクポテンシャルＲＰを運転操作機器から発生する操作反力として運転者に伝えるとともに、運転者が加速しようとする意図が小さい場合に、リスクポテンシャルＲＰに応じた制駆動力制御を行う場合の駆動力下限値を小さく、もしくは駆動力上限値を大きくするができる。このような制駆動力制御を行うことにより、運転意図を妨げないようにしながら、運転者の運転操作を適切な方向に促すことが可能となる。
（２）コントローラ５０は、アクセルペダル６１の操作パターンに基づいて加速意図を検出するために、アクセルペダル６１の操作パターンを、踏増し、保持、戻し、および操作なしの４段階に分類する。そして、踏増し、保持、戻し、および操作なしの順に、駆動力下限値が小さいまたは制動力上限値が大きい演算式に切り替える。これにより、アクセルペダル６１を戻したり解放したりして、加速しようとする意図が小さい場合に、良好な減速効果を得ることができる。
（３）コントローラ５０は、複数の演算式の駆動力下限値の一つとして、走行抵抗に相当する値F_RESを設定する。これにより、リスクポテンシャルＲＰに応じて駆動力を低下するように制御を行っている場合に、運転者によるアクセルペダル操作に対して自車両が減速し、運転者に対して違和感を与えてしまうことを防止できる。
【００８１】
−第３の実施の形態の変形例１−
アクセルペダル操作パターン毎に演算式を以下のように設定し、目標制駆動力F_FINALを算出することもできる。
【００８２】
・アクセルペダル踏増し操作の場合（加速意図）
Ｆｄａ＜F_RESのとき、目標制駆動力F_FINAL＝Ｆｄａ
Ｆｄａ−Ｆｃ＜F_RESのとき、目標制駆動力F_FINAL＝F_RES
Ｆｄａ−Ｆｃ≧F_RESのとき、目標制駆動力F_FINAL＝Ｆｄａ−Ｆｃ
・アクセルペダル保持の場合（追従走行意図）
Ｆｄａ−Ｆｃ＜０のとき、目標制駆動力F_FINAL＝０
Ｆｄａ−Ｆｃ≧０のとき、目標制駆動力F_FINAL＝Ｆｄａ−Ｆｃ
【００８３】
・アクセルペダル戻し操作の場合（減速意図）
運転者が常用的に使用する減速度範囲に相当する制動力を、所定値FB_LIMとして設定する。例えば所定値FB_LIMは、減速度１ｍ/ｓ２に相当するように設定する。
Ｆｄａ−Ｆｃ＜−FB_LIMのとき、目標制駆動力F_FINAL＝−FB_LIM
Ｆｄａ−Ｆｃ≧−FB_LIMのとき、目標制駆動力F_FINAL＝Ｆｄａ−Ｆｃ
・アクセルペダル解放している場合（減速意図）
目標制駆動力F_FINAL＝Ｆｄａ−Ｆｃ
【００８４】
これにより、図２０において、アクセルペダル踏増し時は制駆動力特性Ａで表され、アクセルペダル保持時は制駆動力特性Ｂで表され、アクセルペダル解放時は制駆動力特性Ｄで表される。アクセルペダル戻し操作時は、一点鎖線で示す制駆動力特性Ｃで示すように、常用減速度範囲相当の所定の制動力FB_LIMで補正後の制動力の上限値が制限される。したがって、所定値FB_LIM以上の制動力は発生しないため、予測以上に減速して運転者に違和感を与えてしまうことを防止できる。
【００８５】
−第３の実施の形態の変形例２−
アクセルペダル操作パターン毎に演算式を以下のように設定し、目標制駆動力F_FINALを算出することもできる。
【００８６】
・アクセルペダル踏増し操作（加速意図）および保持（追従走行意図）の場合
Ｆｄａ−Ｆｃ＜０のとき、目標制駆動力F_FINAL＝０
Ｆｄａ−Ｆｃ≧０のとき、目標制駆動力F_FINAL＝Ｆｄａ−Ｆｃ
・アクセルペダル戻し操作の場合（減速意図）
Ｆｄａ−Ｆｃ＜−FB_LIMのとき、目標制駆動力F_FINAL＝−FB_LIM
Ｆｄａ−Ｆｃ≧−FB_LIMのとき、目標制駆動力F_FINAL＝Ｆｄａ−Ｆｃ
・アクセルペダル解放している場合（減速意図）
目標制駆動力F_FINAL＝Ｆｄａ−Ｆｃ
【００８７】
これにより、図２０において、アクセルペダル踏増し時およびアクセルペダル保持時は制駆動力特性Ｂで表され、アクセルペダル戻し操作時は制駆動力特性Ｃで表され、アクセルペダル解放時は制駆動力特性Ｄで表される。
【００８８】
−第３の実施の形態の変形例３−
アクセルペダル操作パターン毎に演算式を以下のように設定し、目標制駆動力F_FINALを算出することもできる。
【００８９】
・アクセルペダル踏増し操作（加速意図）および保持（追従走行意図）の場合
Ｆｄａ−Ｆｃ＜０のとき、目標制駆動力F_FINAL＝０
Ｆｄａ−Ｆｃ≧０のとき、目標制駆動力F_FINAL＝Ｆｄａ−Ｆｃ
・アクセルペダル戻し操作および解放している場合（減速意図）
目標制駆動力F_FINAL＝Ｆｄａ−Ｆｃ
【００９０】
これにより、図２０において、アクセルペダル踏増し時およびアクセルペダル保持時は制駆動力特性Ｂで表され、アクセルペダル戻し操作時およびアクセルペダル解放時は制駆動力特性Ｄで表される。
【００９１】
《第４の実施の形態》
以下に、本発明の第２の実施の形態による車両用運転操作補助装置について説明する。第４の実施の形態による車両用運転操作補助装置の基本構成は、図１に示した第１の実施の形態と同様である。ここでは、上述した第３の実施の形態との相違点を主に説明する。
【００９２】
第４の実施の形態では、制駆動力制御による補正後の駆動力の下限値および制動力の上限値を、リスクポテンシャルＲＰに応じて変化させる。具体的には、リスクポテンシャルＲＰに応じて補正値βを算出し、算出した補正値を用いて駆動力下限値および制動力上限値を補正する。ここでは、リスクポテンシャルＲＰを代表する値として、リスクポテンシャルＲＰに基づいて算出された制御反発力Ｆｃを用いる。
【００９３】
補正値βは、アクセルペダル操作パターン毎に算出する。アクセルペダル踏増し時の補正値をβ１、アクセルペダル保持時の補正値をβ２、アクセルペダル戻し操作時の補正値をβ３とする。アクセルペダル解放時の補正値は設定しない。図２１に、制御反発力Ｆｃとアクセルペダル操作パターン毎の補正値βとの関係を示す。図２１において、アクセルペダル６１が踏増し操作されている場合の補正値β１を実線で、アクセルペダル６１が略一定に保持されている場合の補正値β２を点線で、アクセルペダル６１が戻し操作されている場合の補正値β３を破線で、それぞれ示す。
【００９４】
補正値β１、β２、β３は、制御反発力Ｆｃの増大、すなわちリスクポテンシャルＲＰの増加に対して減少する。制御反発力Ｆｃが所定値Ｆｃ１よりも大きく、リスクポテンシャルＲＰの高い状況では補正値β１、β２、β３＝０とする。Ｆｃ＜Ｆｃ１の場合は、β１＜β２＜β３の関係を満たすように各補正値を設定する。
【００９５】
そして、アクセルペダル操作パターン毎に演算式を以下のように設定し、目標制駆動力F_FINALを算出する。
・アクセルペダル踏増し操作の場合（加速意図）
Ｆｄａ＜F_RES＋β１のとき、目標制駆動力F_FINAL＝Ｆｄａ
Ｆｄａ−Ｆｃ＜F_RES＋β１のとき、目標制駆動力F_FINAL＝F_RES＋β１
Ｆｄａ−Ｆｃ≧F_RES＋β１のとき、目標制駆動力F_FINAL＝Ｆｄａ−Ｆｃ
・アクセルペダル保持の場合（追従走行意図）
Ｆｄａ−Ｆｃ＜０のとき、目標制駆動力F_FINAL＝β２
Ｆｄａ−Ｆｃ≧０のとき、目標制駆動力F_FINAL＝Ｆｄａ−Ｆｃ
・アクセルペダル戻し操作の場合（減速意図）
Ｆｄａ−Ｆｃ＜−FB_LIM＋β３のとき、目標制駆動力F_FINAL＝−FB_LIM＋β３
Ｆｄａ−Ｆｃ≧−FB_LIM＋β３のとき、目標制駆動力F_FINAL＝Ｆｄａ−Ｆｃ
・アクセルペダル解放している場合（減速意図）
目標制駆動力F_FINAL＝Ｆｄａ−Ｆｃ
【００９６】
これにより、制御反発力Ｆｃが小さくリスクポテンシャルＲＰが小さい状況では、駆動力下限値が大きくなるとともに制動力上限値が小さくなり、システムによって行われる制駆動力制御による介入を小さくすることができる。制御反発力Ｆｃが大きく、リスクポテンシャルＲＰが大きい状況では、アクセルペダル操作パターンに応じた下限値もしくは上限値で制駆動力制御が行われるので、運転者の運転操作に逆らわない範囲で、最大限の効果を得ることができる。
【００９７】
このように以上説明した第４の実施の形態においては、上述した第３の実施の形態による効果に加えて以下のような作用効果を奏することができる。
（１）コントローラ５０は、リスクポテンシャルＲＰに基づいて複数の演算式の駆動力下限値または制動力上限値を変化させる。具体的には、図２１に示すように補正値βをリスクポテンシャルＲＰを代表する制御反発力Ｆｃに応じて変化させる。これにより、リスクポテンシャルＲＰが高く自車両と前方障害物との接近度合が高い状況において良好な減速効果を得ることができるとともに、リスクポテンシャルＲＰが小さい状況では、運転者の操作を妨げないような制御を行うことが可能となる。
【００９８】
−第４の実施の形態の変形例−
ここでは、リスクポテンシャルＲＰを表す代表値として、車間時間ＴＨＷもしくは余裕時間ＴＴＣを用いて補正値βを設定する。
【００９９】
図２２（ａ）（ｂ）に、車間時間ＴＨＷと補正値βとの関係、および余裕時間ＴＴＣと補正値βとの関係をそれぞれ示す。車間時間ＴＨＷおよび余裕時間ＴＴＣに基づいてそれぞれ算出される補正値βから、小さい方の値を選択する。
【０１００】
図２２（ａ）に示すように、車間時間ＴＨＷの減少、すなわちリスクポテンシャルＲＰの増加に対して、補正値β１、β２、β３を減少させる。また、図２２（ｂ）に示すように、余裕時間ＴＴＣの減少、すなわちリスクポテンシャルＲＰの増加に対して、補正値β１、β２、β３を減少させる。なお、余裕時間ＴＴＣに対する補正値β１、β２、β３の変化率が、車間時間ＴＨＷに対する補正値β１、β２、β３の変化率よりも大きくなるように設定されている。
【０１０１】
これにより、車間時間ＴＨＷもしくは余裕時間ＴＴＣが大きく小さくリスクポテンシャルＲＰが小さい状況では、駆動力下限値が大きくなるとともに制動力上限値が小さくなり、システムによって行われる制駆動力制御による介入を小さくすることができる。車間時間ＴＨＷもしくは余裕時間ＴＴＣが小さくリスクポテンシャルＲＰが大きい状況では、アクセルペダル操作パターンに応じた下限値もしくは上限値で制駆動力制御が行われるので、運転者の運転操作に逆らわない範囲で、最大限の効果を得ることができる。特に、余裕時間ＴＴＣが小さく自車両と前方障害物との相対速度Ｖｒ（＝自車速−前方障害物速度）が大きい状況では、運転者が減速しようとしてアクセルペダル６１を戻し方向に操作するときに大きな減速効果を得ることができる。
【０１０２】
なお、リスクポテンシャルＲＰを表す代表値として、余裕時間ＴＴＣのみを用いることも可能である。
【０１０３】
上述した第１から第４の実施の形態においては、運転操作機器としてアクセルペダル６１を用い、リスクポテンシャルＲＰに応じてアクセルペダル反力制御を行った。ただし、これには限定されず、運転操作機器としてさらにブレーキペダルを用い、アクセルペダル反力制御に加えてブレーキペダル反力制御を行うこともできる。また、リスクポテンシャルＲＰに応じた制駆動力制御のみを行って、アクセルペダル反力制御を省略するように構成することもできる。また、自車両に発生する制駆動力のうち、リスクポテンシャルＲＰに応じて駆動力のみ制御することもできる。
【０１０４】
上述した第１から第４の実施の形態においては、リスクポテンシャルＲＰとして車間時間ＴＨＷおよび余裕時間ＴＴＣを算出し、車間時間ＴＨＷおよび余裕時間ＴＴＣに関連付けた２つの仮想弾性体の反発力から制御反発力Ｆｃを算出した。ただしこれには限定されず、車間時間ＴＨＷおよび余裕時間ＴＴＣのいずれか一方をリスクポテンシャルＲＰとして算出することも可能である。あるいは、車間時間ＴＨＷの逆数の関数と余裕時間ＴＴＣの逆数の関数とを加算したり、これらからセレクトハイによりリスクポテンシャルＲＰを算出することもできる。
【０１０５】
制御反発力Ｆｃと反力制御指令値ＦＡとの関係は図１６に示すものには限定されず、リスクポテンシャルＲＰが増加するほど反力制御指令値ＦＡが増加するように設定することができる。
【０１０６】
以上説明した第１から第４の実施の形態においては、レーダ装置１０が障害物検出手段として機能し、コントローラ５０がリスクポテンシャル算出手段、操作反力制御手段、運転意図検出手段、および制駆動力制御手段として機能することができる。ただし、これらには限定されず、障害物検出手段としてのレーダ装置１０を、レーザレーダとは別方式のミリ波レーダを用いたり、ＣＣＤやＣＭＯＳ等の小型カメラを障害物検出手段として用いることも可能である。また、制駆動力制御手段として駆動力制御装置６０のみを用いることもできる。なお、以上の説明はあくまで一例であり、発明を解釈する際、上記の実施形態の記載事項と特許請求の範囲の記載事項の対応関係になんら限定も拘束もされない。
【図面の簡単な説明】
【０１０７】
【図１】本発明の第１の実施の形態による車両用運転操作補助装置のシステム図。
【図２】レーダ装置の測距原理を説明する図。
【図３】レーダ装置による検出結果の一例を示す図。
【図４】駆動力制御の概要を説明するブロック図。
【図５】アクセルペダル操作量と要求駆動力との関係を示す図。
【図６】制動力制御の概要を説明するブロック図。
【図７】ブレーキペダル操作量と要求制動力との関係を示す図。
【図８】第１の実施の形態における運転操作補助制御プログラムの処理手順を示すフローチャート。
【図９】アクセルペダル操作パターン判定処理の処理手順を示すフローチャート。
【図１０】自車両の予測進路の算出方法を説明する図。
【図１１】自車両の予測進路の算出方法を説明する図。
【図１２】（ａ）（ｂ）制駆動力制御の概念を説明する図。
【図１３】制御反発力算出処理の処理手順を示すフローチャート。
【図１４】制御用制駆動力算出処理の処理手順を示すフローチャート。
【図１５】制駆動力の補正方法を説明する図。
【図１６】制御反発力とアクセルペダル反力制御指令値との関係を示す図。
【図１７】制御反発力と補正係数との関係を示す図。
【図１８】（ａ）（ｂ）車間時間と補正係数との関係、および余裕時間と補正係数との関係をそれぞれ示す図。
【図１９】第３の実施の形態における制御用制駆動力算出処理の処理手順を示すフローチャート。
【図２０】アクセルペダル操作パターン毎の制駆動力特性を示す図。
【図２１】制御反発力と制駆動力上限値及び下限値の補正値との関係を示す図。
【図２２】（ａ）（ｂ）車間時間と制駆動力上限値及び下限値の補正値との関係、および余裕時間と制駆動力上限値及び下限値の補正値との関係をそれぞれ示す図。
【符号の説明】
【０１０８】
１０：レーダ装置、２０：車速センサ、３０：舵角センサ、４０：障害物検知装置、５０：コントローラ、６０：駆動力制御装置、６１：アクセルペダル、７０：アクセルペダル反力発生装置、９０：制動力制御装置、９１：ブレーキペダル
【図１】
2008179355.tif 000003
【図２】
2008179355.tif 000004
【図３】
2008179355.tif 000005
【図４】
2008179355.tif 000006
【図５】
2008179355.tif 000007
【図６】
2008179355.tif 000008
【図７】
2008179355.tif 000009
【図８】
2008179355.tif 000010
【図９】
2008179355.tif 000011
【図１０】
2008179355.tif 000012
【図１１】
2008179355.tif 000013
【図１２】
2008179355.tif 000014
【図１３】
2008179355.tif 000015
【図１４】
2008179355.tif 000016
【図１５】
2008179355.tif 000017
【図１６】
2008179355.tif 000018
【図１７】
2008179355.tif 000019
【図１８】
2008179355.tif 000020
【図１９】
2008179355.tif 000021
【図２０】
2008179355.tif 000022
【図２１】
2008179355.tif 000023
【図２２】
2008179355.tif 000024
【手続補正書】
【提出日】平成20年2月22日(2008.2.22)
【手続補正１】
【補正対象書類名】特許請求の範囲
【補正対象項目名】全文
【補正方法】変更
【補正の内容】
【特許請求の範囲】
【請求項１】
自車両前方に存在する障害物を検出し、自車両と前記障害物との相対距離を検出する障害物検出手段と、
前記障害物検出手段の検出結果に基づいて、前記障害物に対する前記自車両の接近度合を表すリスクポテンシャルを算出するリスクポテンシャル算出手段と、
前記リスクポテンシャル算出手段によって算出される前記リスクポテンシャルに応じて運転操作機器に発生させる操作反力を制御する操作反力制御手段と、
アクセルペダルの操作パターンに基づいて運転者の加速意図を検出する運転意図検出手段と、
前記リスクポテンシャルおよびアクセルペダル操作量に従って制駆動力を算出するための複数の演算式を備え、前記自車両に発生する制駆動力を制御する制駆動力制御手段とを備え、
前記複数の演算式は、それぞれ、前記アクセルペダル操作量に対する駆動力下限値または制動力上限値が異なり、前記制駆動力制御手段は、前記運転者が加速しようとする意図が小さいほど、前記駆動力下限値が小さいまたは前記制動力上限値が大きい演算式に切り替えることを特徴とする車両用運転操作補助装置。
【請求項２】
請求項１に記載の車両用運転操作補助装置において、
前記運転意図検出手段は、前記アクセルペダルの操作パターンに基づいて前記加速意図を検出するために、前記アクセルペダルの操作パターンを、踏増し、保持、戻し、および操作なしの４段階に分類し、
前記制駆動力制御手段は、踏増し、保持、戻し、および操作なしの順に、前記駆動力下限値が小さいまたは前記制動力上限値が大きい演算式に切り替えることを特徴とする車両用運転操作補助装置。
【請求項３】
請求項１または請求項２に記載の車両用運転操作補助装置において、
前記制駆動力制御手段は、前記複数の演算式の前記駆動力下限値の一つとして、走行抵抗に相当する値を設定することを特徴とする車両用運転操作補助装置。
【請求項４】
請求項１から請求項３のいずれか１項に記載の車両用運転操作補助装置において、
前記制駆動力制御手段は、前記リスクポテンシャルに基づいて前記複数の演算式の前記駆動力下限値または前記制動力上限値を変化させることを特徴とする車両用運転操作補助装置。
【請求項５】
自車両前方に存在する障害物を検出し、自車両と前記障害物との相対距離を検出し、
前記障害物の検出結果に基づいて、前記障害物に対する前記自車両の接近度合を表すリスクポテンシャルを算出し、
前記リスクポテンシャルに応じて運転操作機器に発生させる操作反力を制御し、
アクセルペダルの操作パターンに基づいて運転者の加速意図を検出し、
前記リスクポテンシャルおよびアクセルペダル操作量に従って制駆動力を算出するための複数の演算式を備え、前記複数の演算式は、それぞれ、前記アクセルペダル操作量に対する駆動力下限値または制動力上限値が異なり、前記運転者が加速しようとする意図が小さいほど、前記駆動力下限値が小さいまたは前記制動力上限値が大きい演算式に切り替え、前記自車両に発生する制駆動力を制御することを特徴とする車両用運転操作補助方法。
【請求項６】
自車両前方に存在する障害物を検出し、自車両と前記障害物との相対距離を検出する障害物検出手段と、
前記障害物検出手段の検出結果に基づいて、前記障害物に対する前記自車両の接近度合を表すリスクポテンシャルを算出するリスクポテンシャル算出手段と、
前記リスクポテンシャル算出手段によって算出される前記リスクポテンシャルに応じて運転操作機器に発生させる操作反力を制御する操作反力制御手段と、
アクセルペダルの操作パターンに基づいて運転者の加速意図を検出する運転意図検出手段と、
前記リスクポテンシャルおよびアクセルペダル操作量に従って制駆動力を算出するための複数の演算式を備え、前記自車両に発生する制駆動力を制御する制駆動力制御手段とを備え、
前記複数の演算式は、それぞれ、前記アクセルペダル操作量に対する駆動力下限値または制動力上限値が異なり、前記制駆動力制御手段は、前記運転者が加速しようとする意図が小さいほど、前記駆動力下限値が小さいまたは前記制動力上限値が大きい演算式に切り替える車両用運転操作補助装置を備えることを特徴とする車両。
【手続補正２】
【補正対象書類名】明細書
【補正対象項目名】０００５
【補正方法】変更
【補正の内容】
【０００５】
本発明による車両用運転操作補助装置は、自車両前方に存在する障害物を検出し、自車両と障害物との相対距離を検出する障害物検出手段と、障害物検出手段の検出結果に基づいて、障害物に対する自車両の接近度合を表すリスクポテンシャルを算出するリスクポテンシャル算出手段と、リスクポテンシャル算出手段によって算出されるリスクポテンシャルに応じて運転操作機器に発生させる操作反力を制御する操作反力制御手段と、アクセルペダルの操作パターンに基づいて運転者の加速意図を検出する運転意図検出手段と、リスクポテンシャルおよびアクセルペダル操作量に従って制駆動力を算出するための複数の演算式を備え、自車両に発生する制駆動力を制御する制駆動力制御手段とを備え、複数の演算式は、それぞれ、アクセルペダル操作量に対する駆動力下限値または制動力上限値が異なり、制駆動力制御手段は、運転者が加速しようとする意図が小さいほど、駆動力下限値が小さいまたは制動力上限値が大きい演算式に切り替える。
本発明による車両用運転操作補助方法は、自車両前方に存在する障害物を検出し、自車両と障害物との相対距離を検出し、障害物の検出結果に基づいて、障害物に対する自車両の接近度合を表すリスクポテンシャルを算出し、リスクポテンシャルに応じて運転操作機器に発生させる操作反力を制御し、アクセルペダルの操作パターンに基づいて運転者の加速意図を検出し、リスクポテンシャルおよびアクセルペダル操作量に従って制駆動力を算出するための複数の演算式を備え、複数の演算式は、それぞれ、アクセルペダル操作量に対する駆動力下限値または制動力上限値が異なり、運転者が加速しようとする意図が小さいほど、駆動力下限値が小さいまたは制動力上限値が大きい演算式に切り替え、自車両に発生する制駆動力を制御する。
本発明による車両は、自車両前方に存在する障害物を検出し、自車両と障害物との相対距離を検出する障害物検出手段と、障害物検出手段の検出結果に基づいて、障害物に対する自車両の接近度合を表すリスクポテンシャルを算出するリスクポテンシャル算出手段と、リスクポテンシャル算出手段によって算出されるリスクポテンシャルに応じて運転操作機器に発生させる操作反力を制御する操作反力制御手段と、アクセルペダルの操作パターンに基づいて運転者の加速意図を検出する運転意図検出手段と、リスクポテンシャルおよびアクセルペダル操作量に従って制駆動力を算出するための複数の演算式を備え、自車両に発生する制駆動力を制御する制駆動力制御手段とを備え、複数の演算式は、それぞれ、アクセルペダル操作量に対する駆動力下限値または制動力上限値が異なり、制駆動力制御手段は、運転者が加速しようとする意図が小さいほど、駆動力下限値が小さいまたは制動力上限値が大きい演算式に切り替える車両用運転操作補助装置を備える。